(57)【要約】      （修正有）【課題】浴槽の短手側に介護スペースを設け、エプロンの取り付け作業性を維持しつつも、被介護者の入浴が妨げられないように、確実にフロントエプロンを取り付けることができる浴室を提供する。【解決手段】浴槽の少なくとも一方の短手側が浴室側壁から離間して配置され、浴槽の長手側に隣接して設けられた洗い場と、浴槽の洗い場側に取り付けられるフロントエプロン２１を支持する第一の支持具２７と、介護用スペース側に取り付けられるサイドエプロン２３を支持する第二の支持具３３と、を備え、第一の支持具２７に支持される第一の被支持具３１と、第二の支持具３３に支持される第二の被支持具３７を有し、第一の被支持具３１は、所定の位置で支持されることにより脱落しないよう構成され、第二の支持具３３は、第一の被支持具３１が所定の位置で支持されている場合のみ、サイドエプロン２３を第二の支持具３３によって支持する。【選択図】図３
2016002388.tif 000002
【特許請求の範囲】
【請求項１】
介護用スペースが設けられた浴室であって、
介護用スペースを設けるために、浴槽の少なくとも一方の短手側が浴室側壁から離間して配置された浴槽と、
前記浴槽の長手側に隣接して設けられた洗い場と、
前記浴槽の洗い場側の側壁を覆うよう取り付けられるフロントエプロンと、
前記浴槽の介護用スペース側の側壁を覆うよう取り付けられるサイドエプロンと、
前記フロントエプロンよりも浴槽側に設けられ、前記フロントエプロンを支持する第一の支持具と、
前記サイドエプロンを支持する第二の支持具と、を備え、
前記フロントエプロンおよび前記サイドエプロンはそれぞれ、前記第一の支持具および前記第二の支持具により支持されて既定の位置に取り付けられるものであり、
前記フロントエプロンは、前記浴槽側の面から浴槽側に突出し、前記第一の支持具に支持される第一の被支持具を有し、
前記サイドエプロンは、前記第二の支持具に支持される第二の被支持具を有し、
前記第一の被支持具は、前記第一の支持具に所定の位置で支持されることにより前記第一の支持具から脱落しないよう構成されるものであって、
前記第二の支持具は、前記第一の被支持具が前記第一の支持具の前記所定の位置で支持されている場合のみ、前記サイドエプロンを前記第二の支持具によって支持することが可能な位置に配設されることを特徴とする浴室。
【請求項２】
前記第二の支持具は、前記フロントエプロンに設けられていることを特徴とする請求項１に記載の浴室。
【請求項３】
前記第二の支持具は、前記フロントエプロンに対して移動可能に設けられ、
前記第一の被支持具が前記第一の支持具の前記所定の位置で支持されている場合のみ、前記第二の支持具が、前記サイドエプロンを前記第二の支持具によって支持することが可能な位置へ移動することを許容する移動規制手段を設けたことを特徴とする請求項２記載の浴室。
【発明の詳細な説明】
【技術分野】
【０００１】
本発明は、介護用のスペースを有する浴室に関する。
【背景技術】
【０００２】
従来から、特許文献１に記載されているような、浴槽の短手側に介護用スペースを設け、浴槽の長手側に洗い場を隣接して設けている浴室が知られている。特許文献１に記載されている浴室は、浴槽の洗い場側の側壁を覆うフロントエプロンと、浴槽の介護用スペース側の側壁を覆うサイドエプロンとを備えている。
【０００３】
ここで、工具等を使わずに、簡単に浴槽の側壁を覆うエプロンを取り付けられるようにするために、エプロンから浴槽側に突出させた被支持具を、エプロンよりも浴槽側に設けた支持具の所定の位置で支持させることで、支持具から被支持具が脱落しないように構成しているエプロンの取付構造が知られている。例えば、特許文献２に記載のエプロン取付構造は、エプロンより浴槽側に突出した被支持具を床面に設けられた支持具に支持させると共に、被支持具の先端の膨大部が支持具の断面C状の弾性材に係止される所定の位置で支持させるようにしている。これにより、被支持具が支持具から脱落しないようにして、エプロンが外れることを防止している。
【先行技術文献】
【特許文献】
【０００４】
【特許文献１】特許３３１０１１２号公報
【特許文献２】特開２０１３−６６５０１号公報
【発明の概要】
【発明が解決しようとする課題】
【０００５】
上記のような介護用スペースを設けた浴室の浴槽にこのようなエプロンの取付構造を採用した場合、施工時の取り付けミスによって、フロントエプロンの被支持具を支持具の所定の位置（支持具から被支持具が脱落しない位置）以外で支持させて取り付けてしまうと、入浴するために被介護者が移乗台に着座している状態で脚を洗い場側から浴槽側に移動させる際、機能低下した脚が十分に上がらず、洗い場側のフロントエプロンに接触してしまい、これによりフロントエプロンが外れ、外れたフロントエプロンが被介護者の入浴の妨げになってしまう恐れがある。
【０００６】
本発明は、浴槽の短手側に介護スペースを設け、浴槽の長手側に洗い場を隣接して設けている浴室において、エプロンの取り付け作業性を維持しつつも、被介護者の入浴が妨げられないように、フロントエプロンを確実にしっかりと取り付けることができる浴室を提供することを目的とする。
【課題を解決するための手段】
【０００７】
上記課題を解決するために、本発明に係る浴室は、介護用スペースが設けられた浴室であって、介護用スペースを設けるために、浴槽の少なくとも一方の短手側が浴室側壁から離間して配置された浴槽と、前記浴槽の長手側に隣接して設けられた洗い場と、前記浴槽の洗い場側の側壁を覆うよう取り付けられるフロントエプロンと、前記浴槽の介護用スペース側の側壁を覆うよう取り付けられるサイドエプロンと、前記フロントエプロンよりも浴槽側に設けられ、前記フロントエプロンを支持する第一の支持具と、前記サイドエプロンを支持する第二の支持具と、を備え、前記フロントエプロンおよび前記サイドエプロンはそれぞれ、前記第一の支持具および前記第二の支持具により支持されて既定の位置に取り付けられるものであり、前記フロントエプロンは、前記浴槽側の面から浴槽側に突出し、前記第一の支持具に支持される第一の被支持具を有し、前記サイドエプロンは、前記第二の支持具に支持される第二の被支持具を有し、前記第一の被支持具は、前記第一の支持具に所定の位置で支持されることにより前記第一の支持具から脱落しないよう構成されるものであって、前記第二の支持具は、前記第一の被支持具が前記第一の支持具の前記所定の位置で支持されている場合のみ、前記サイドエプロンを前記第二の支持具によって支持することが可能な位置に配設されることを特徴とする。
【０００８】
本発明に係る浴室においては、フロントエプロンを支持する第一の支持具の所定の位置で第一の被支持具が支持されている場合のみ、第二の支持具が、サイドエプロンを第二の支持具によって支持することが可能な位置に位置する。したがって、浴室の施工時、作業者は、フロントエプロンを取り付けた後に、フロントエプロンの第一の被支持具が第一の支持具の所定の位置で支持されていないことに気付くことができるため、作業者がフロントエプロンが不安定な状態で取り付けられたままで施工作業を完了することを防止できる。よって、浴槽の短手側に介護スペースを設け、浴槽の長手側に洗い場が隣接して設けられているような介護に配慮された浴室であっても、エプロンの取り付け作業性を維持しつつも、被介護者の入浴が妨げられないように、確実にフロントエプロンをしっかりと取り付けることができる。
【０００９】
また、本発明に係る浴室では、前記第二の支持具は、前記フロントエプロンに設けられていることも好ましい。
【００１０】
この好ましい態様では、第一の被支持具が第一の支持具の所定の位置で支持されている状態とそうでない状態で位置が変化するフロントエプロンに第二の支持具を設けることで、モーター等の電気的な手段を用いずとも、第一の被支持具が第一の支持具の所定の位置で支持されている場合のみ、第二の支持具がサイドエプロンを第二の支持具によって支持することが可能な位置に位置するようにできる。このように、浴室のような被水しやすい環境においては被水対策が必要となる電気的な手段を設けなくて済むため、簡単な構成でエプロンの取り付け作業性を維持しつつも、確実にフロントエプロンをしっかりと取り付けることができる。
【００１１】
また、本発明に係る浴室では、前記第二の支持具は、前記フロントエプロンに対して移動可能に設けられ、前記第一の被支持具が前記第一の支持具の前記所定の位置で支持されている場合のみ、前記第二の支持具が、前記サイドエプロンを前記第二の支持具によって支持することが可能な位置へ移動することを許容する移動規制手段を設けたことも好ましい。
【００１２】
この好ましい態様では、サイドエプロンの第二の被支持部を支持する第二の支持具が、フロントエプロンに対して移動可能に設けられており、さらに、フロントエプロンの第一の被支持具が第一の支持具の所定の位置で支持されている場合のみ、第二の支持具がサイドエプロンを前記第二の支持具によって支持することが可能な位置へ移動することを許容する移動規制手段を設けている。したがって、フロントエプロンを取り付けた後、サイドエプロンを取り付けるために、第二の支持具を、サイドエプロンを第二の支持具によって支持することが可能な位置へ移動させようとしても、フロントエプロンの第一の被支持具が第一の支持具の所定の位置で支持されていない場合、すなわちフロントエプロンが不安定な取り付け状態にある場合に、移動規制手段によって、その位置へ移動させることができない。したがって、サイドエプロンを取り付ける前に、フロントエプロンの第一の被支持具が第一の支持具の所定の位置で支持されていない状態であることを把握でき、サイドエプロンを取り付けられないにも拘わらず、それを知らずにサイドエプロンを取り付けようとする作業を行ってしまうといった無駄な作業の発生を防止することができる。このように、本発明に係る浴室では、フロントエプロンの取付状態が不安定であると気づいた場合に無駄な作業を生じさせることなく、確実にフロントエプロンをしっかりと取り付けることができる。
【発明の効果】
【００１３】
本発明の浴室によれば、浴槽の短手側に介護スペースを設け、浴槽の長手側に洗い場を隣接して設けている浴室において、エプロンの取り付け作業性を向上させつつも、被介護者の入浴が妨げられないように、確実にフロントエプロンをしっかりと取り付けることができる。
【図面の簡単な説明】
【００１４】
【図１】本発明の実施形態に係る浴室を示す斜視図。
【図２】図１に示した浴室の上面図。
【図３】図１に示した浴室のエプロンを取り外した状態を示す分解図。
【図４】図１に示した浴室のフロントエプロンを取り付けた状態を示す側面図。
【図５】図１に示した浴室のサイドエプロン右支持具を移動させる様子を示す図。
【図６】図１に示した浴室のフロントエプロンを取り付けた際の様子を示す模式図。
【図７】変形例においてサイドエプロンを取り付ける際の様子を示す模式図。
【図８】変形例において、サイドエプロンを取り付ける際の様子を示す模式図。
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
本発明の実施形態である浴室１について図１、図２を参照しながら説明する。図１は、本発明の実施形態である浴室１を示す斜視図である。一方、図２は、本発明の実施形態である浴室１の上面図を模式的に表した図である。
【００１７】
図１に示されるように、浴室１は、浴槽３と、洗い場５と、介護用スペースＫＳを備えている。浴槽３は、その長手側壁７ａと側壁７ｂとで形成されるコーナー部に配置されており、なおかつ、浴槽３の側壁７ｄ側の短辺側は、介護用スペースＫＳを形成するために、側壁７ｄから所定の距離離して配置されている。一方、洗い場は、側壁７ａとは反対側の浴槽３の長手側に隣接して設けられている。このような配置で浴室が構成されているため、介護者は、介護用スペースＫＳに立って、被介護者が洗い場から浴槽に移る際の動作をサポートすることができる。
【００１８】
浴槽３は、湯を溜める槽部３ａとリム部３ｂを有している。さらに、被介護者の入浴動作をサポートできるよう、槽部３ａの側壁に手摺１３を備えている。また、浴槽３の底部には、湯を排水するための排水孔１１が設けられている。一方、洗い場５には、図示しない排水トラップが設けられており、この排水トラップを覆うように、排水蓋１５が配置されている。
【００１９】
浴室１は、さらに、浴槽３の槽部３ａ側壁を覆うエプロンを備えている。具体的には、洗い場側の槽部３ａ側壁を覆うフロントエプロン２１と、介護用スペースＫＳ側の槽部３ａ側壁を覆うサイドエプロン２３を備えている。浴室１の床面には、洗い場５および介護用スペース床面１７と、浴槽３を配置する浴槽配置床面１８を仕切るために、浴室床面より上方に突出する土手部１９が設けられており（図３参照）、フロントエプロン２１とサイドエプロン２３は、この土手部１９と、浴槽３のリム部３ｂとの開口を塞ぐようにして取り付けられる。
【００２０】
続いて、図３を参照しながら、フロントエプロン２１およびサイドエプロン２３の取付構造について説明する。図３は、フロントエプロン２１およびサイドエプロン２３を取り外した状態を示す分解図である。
【００２１】
槽部３ａの洗い場５側の側壁には、フロントエプロン２１を支持するためのフロントエプロン支持具２７が複数設けられている。また、浴槽３を支える支柱２５にもフロントエプロン支持具２７が設けられている。槽部３ａに設けられているフロントエプロン支持具２７は、槽部３ａにねじ等で固定された支持台２７ａと、支持台２７ａの上に配置される支持ばね２７ｃにより構成されている。一方、支柱２５に設けられているフロントエプロン支持具２７は、支柱２５に固定された支持板２７ｂと、この上に配置される支持ばね２７ｃにより構成されている。
【００２２】
一方、フロントエプロン２１には、槽部３ａ側の側面から槽部３ａ側に突出したフロントエプロン被支持具３１が複数設けられている。フロントエプロン２１は、このフロントエプロン被支持具３１がフロントエプロン支持具２７によって支持されることにより取付けられる。
【００２３】
ここで、フロントエプロン２１の取付状態について、より具体的に説明する。図４は、フロントエプロン２１を取り付けた状態を示す側面図である。図４に示すように、フロントエプロン２１は、その上端とフロントエプロン被支持具３１が、リム部３ｂとフロントエプロン支持具２７の支持ばね２７ｃによって挟まれるようにして取り付けられる。支持バネ２７ｃは、フロントエプロン被支持具３１に対し、上方に力を加えるように配置されているため、この支持ばね２７ｃによって支持させることで、フロントエプロン２１の上端がリム部３ｂに押しつけられることで取りつけられるよう構成されている。
【００２４】
また、支持ばね２７ｃは、断面が山状になるように形成されており、フロントエプロン被支持具３１は、この山状の断面と同様の断面を有するように形成されている。フロントエプロン２１を取り付ける際には、これらの山状の断面を有する部分を重ね合わせる（係合させる）ことで、支持ばね２７ｃとリム部３ｂによって挟まれているフロントエプロン２１が、洗い場５側や、槽部３ａ側に位置づれしないようにすることができる。これにより、フロントエプロン被支持具３１が、支持ばね２７ｃから脱落して、フロントエプロン２１が、外れてしまうことを防止できる。したがって、フロントエプロン２１を取り付ける際には、上述したように、支持ばね２７ｃの山状の断面を有する部分にフロントエプロン被支持具３１の山状断面を有する部分を重ね合わせることができる所定の位置で、支持ばね２７ｃによって、フロントエプロン被支持具３１を支持させる必要がある。
【００２５】
次に、サイドエプロン２３の取付構造について説明する。サイドエプロン２３も、フロントエプロン２１と同様、支持具によって被支持具が支持されると共に、支持具とリム部３ｂによって挟まれて取り付けられる。
【００２６】
サイドエプロン２３は、右側と左側がそれぞれ１つの支持具で支持されるよう構成されている。フロントエプロン２１の一部は、浴槽３の短辺側に回り込んでおり、サイドエプロン２３の右側を支持するサイドエプロン右支持具３３が、その回込み部２１ａに固定された接続板２９に取り付けられている（本実施形態においては、サイドエプロン右支持具３３が本発明の「第二の支持具」に相当）。一方、左側を支持するサイドエプロン左支持具３５は、浴槽３を支える支柱２５に固定されている。本実施形態の浴室１では、このように、フロントエプロン２１にサイドエプロン右支持具３３を取り付けているため、施工の際には、最初にフロントエプロン２１を取り付け、その後、サイドエプロンを取り付けるという手順で、施工が行われる。
【００２７】
サイドエプロン右支持具３３は、支持板３３ａと、この上に固定される、支持ばね３３ｂを有している。また、支持板３３ａは、水平板３３ａａと水平板３３ａａに垂直に立設する垂直板３３ａｂから構成されており、垂直板３３ａｂには、４つのねじ孔が穿設されている。支持板３３ａは、接続板２９に鉛直方向に縦長状に設けられたスリット２９ａにねじ４３を挿入し、このネジ４３を垂直板３３ａｂのねじ孔に螺合させることで、接続板２９に固定している（図５参照）。したがって、ねじ４３を緩めたり締めたりすることで、サイドエプロン右支持具３３は接続板２９に対して、鉛直方向に移動可能になっていると共に、所望の位置で固定できるようになっている。
【００２８】
一方、サイドエプロン左支持具３４は、支持板３５ａと、その上に固定される支持ばね３５ｂを有している。支持板３５ａは、支持板３３ａと同様に、水平板３５ａａと垂直板３５ａｂを有しており、垂直板３５ａｂは支柱２５に固定されている。
【００２９】
サイドエプロン２３の浴槽３の槽部３ａ側の側面には、槽部３ａ側に突出するサイドエプロン被支持具が２つ設けられている。一方は、サイドエプロン右支持具３３によって支持されるサイドエプロン右被支持具３７であり、他方は、サイドエプロン左支持具３５によって支持されるサイドエプロン左被支持具３９である。サイドエプロン２３は、これらの被支持具を対応する支持具に支持させて取り付けられるよう構成されている。
【００３０】
ここで、サイドエプロン２３を支持する支持ばね３３ｂ、３５ｂ、および、サイドエプロン右被支持具３７、サイドエプロン左被支持具３９は、フロントエプロン２１の支持ばね２７ｃおよびフロントエプロン被支持具３１と同一の形状をしている。したがって、サイドエプロン２３も、フロントエプロン２１と同様の形態で挟まれて取り付けられるよう構成されている。
【００３１】
本実施形態の浴室１は、施工時にフロントエプロン２１がしっかりと取り付けられていない状態（フロントエプロン被支持具３１が、フロントエプロン支持具２７によって支持されてはいるが、フロントエプロン２１が洗い場５側や槽部３ａ側に位置ずれしない所定の位置で支持されていない状態）で施工を完了しないよう、施工者に、フロントエプロン２１がしっかりと取り付けられていないことを認識させる工夫を施している。具体的には、
フロントエプロン２１がしっかりと取り付けられていないと、サイドエプロン右支持具３３を、サイドエプロン２３を支持させる所望の位置に移動できないようにしている。
【００３２】
このように、所望の位置に移動できない機構について図５を参照しながら説明する。図５は、フロントエプロン２１のみを取り付けた状態において、サイドエプロン右支持具３３を移動させる様子を示す図である。なお、図５ではフロントエプロン２１がしっかりと取り付けられた状態の様子を示している。本実施形態におけるフロントエプロン２１を取り付ける際には、まず、施工者は、サイドエプロン右支持具３３を上方に移動させて固定しておく必要がある。図５（Ａ）は、このように移動された状態で、フロントエプロン２１をしっかりと取り付けた直後の様子を表している。フロントエプロン２１を取り付けた後は、サイドエプロン右支持具３３の位置を、所望の位置まで下げる必要があるが、本実施形態の浴室１は、フロントエプロン２１がしっかりと取り付けいている状態でしか、そのような位置にサイドエプロン右支持具３３を移動できないようになっている。すなわち、浴室１は、サイドエプロン右支持具３３の移動を規制する移動規制手段４１を備えている。
【００３３】
具体的には、土手部１９のコーナー部に、浴槽配置床面１８に固定された逆Ｕ字状支持台４１ａと、逆Ｕ字状支持台４１ａの上端から上方に突出する突起４１ｂを備えている。サイドエプロン右支持具３３の支持板３３ａａには、孔３３ｃが穿設されており、フロントエプロン２１が、しっかりと取り付けてある場合のみ、移動時に、この孔３３ｃに突起４１ｂが入り込み、サイドエプロン２３を所望の位置まで移動させることができる。図５（Ｂ）は、サイドエプロン右支持具３３を所望の位置まで下げた状態を示す図である。
【００３４】
本実施形態の浴室１は、このような移動規制手段４１を設けているため、フロントエプロン２１がしっかりと取り付けられていない場合には、孔３３ｃに突起４１ｂが入り込まず、突起４１ｂに水平板３３ａａが衝突してしまうため、施工者は、フロントエプロン２３がしっかりと取り付けられていないということに容易に気づくことができ、フロントエプロン２１がしっかりと取り付けられていない状態で、施工を完了することを確実に防止することができる。
【００３５】
したがって、フロントエプロン２１のみを取り付けた状態をサイドエプロン側から見た図６に示すように、フロントエプロン２１がしっかりと取り付けられている場合（図６（Ａ））には、サイドエプロン右支持具３３を所望の位置まで移動させることができるため、サイドエプロン右支持具３３をサイドエプロン左支持具３４と同一の高さまで移動させることができる。
【００３６】
一方、フロントエプロン２１がしっかりと取り付けられていない場合（図６（Ｂ））には、サイドエプロン右支持具３３を所望の位置まで移動させることができないため、サイドエプロン右支持具３３とサイドエプロン左支持具３４とは、異なる高さとなってしまう。本実施形態の浴室１は、このように、異なる高さにしかならないため、サイドエプロン２３を実際に持ちあげて取り付けようとする前に、施工者がフロントエプロン２１がしっかりと取り付けられていないということに気付くことができるため、サイドエプロン２３を無駄に持ち上げることもない。
【００３７】
本実施形態の浴室１においては、サイドエプロン右支持具３３を接続板２９に対して移動可能な構成にしているが、移動可能な構成にしなくとも、施工者にフロントエプロン２１がしっかりと取り付けられていないことを気付かせることができる。以下に変形例として、サイドエプロン右支持具３３が接続板２９に対して移動できないように固定された構成の浴室１について説明する。
【００３８】
図７、図８は、サイドエプロン右支持具３３が接続板２９に対して移動できないように固定されたフロントエプロン２１を取り付けた状態で、サイドエプロン２３を取り付ける際の様子を模式的に示している。図７は、フロントエプロン２１がしっかりと取り付けられている状態でサイドエプロン２３を取り付ける様子を、図８は、フロントエプロン２１がしっかりと取り付けられていない状態でサイドエプロン２３を取り付ける様子を示している。なお、図７（Ａ）および図７（Ｂ）はそれぞれ、サイドエプロン取付前後の様子を示すものであり、同様に、図８（Ａ）および図８（Ｂ）もサイドエプロン取付前後の様子を示すものである。また、変形例における浴室１では、フロントエプロン２１がしっかりと取り付けられている状態では、サイドエプロン右支持具３３とサイドエプロン左支持具３５の支持ばね３３ｂ、３５ｂ間の距離はＷ１であり、それらの支持ばね３３ｂ、３５ｂに支持される、サイドエプロン右被支持具３７、サイドエプロン左支持具３９間の距離もＷ１となるよう構成されている。
【００３９】
図７（Ａ）に示すように、フロントエプロン２１がしっかりと取り付けられている状態では、支持ばね３３ｂ、３５ｂ間の距離は、サイドエプロン右支持具３３、サイドエプロン左支持具３７と同一の距離（Ｗ１）となるため、図７（Ｂ）に示すように、サイドエプロン２３を既定の位置に所望の姿勢で取り付けることが可能である。
【００４０】
一方、図８（Ａ）に示すように、フロントエプロン２１がしっかりと取り付けられていない状態では、支持ばね３３ｂ、３５ｂ間の距離は、サイドエプロン右支持具３３、サイドエプロン左支持具３７の距離Ｗ１よりも大きな距離Ｗ２となってしまうため、図８（Ｂ）に示すように、サイドエプロン右支持具３３にサイドエプロン右被支持具３７が支持されず、サイドエプロン２３が傾いてしまうなど、所望の姿勢で取り付けられなくなってしまうため、施工者が、サイドエプロン２３を取り付ける際に、フロントエプロン２１がしっかりと取り付けられていないことに気づくことができる。
【符号の説明】
【００４１】
１：浴室
３：浴槽
５：洗い場
７：側壁
１７：介護用スペース床面
１８：浴槽配置床面
１９：土手部
２１：フロントエプロン
２１ａ：回込み部
２３：サイドエプロン
２５：支柱
２７：フロントエプロン支持具（第一の支持具）
２７ａ：支持台
２７ｂ、３３ａ、３５ａ：支持板
２７ｃ、３３ｂ、３５ｂ：支持ばね
２９：接続板
２９ａ：スリット
３１：フロントエプロン被支持具（第一の被支持具）
３３：サイドエプロン右支持具（第二の支持具）
３３ａａ、３５ａａ：水平板
３３ａｂ、３５ａｂ：垂直板
３３ｃ：孔
３５：サイドエプロン左支持具
３７：サイドエプロン右被支持部（第二の被支持具）
３９：サイドエプロン左被支持部
４１：移動規制手段
４１ａ：逆Ｕ字状支持台
４１ｂ：突起
４３：ねじ
ＫＳ：介護用スペース
【図１】
2016002388.tif 000003
【図２】
2016002388.tif 000004
【図３】
2016002388.tif 000005
【図４】
2016002388.tif 000006
【図５】
2016002388.tif 000007
【図６】
2016002388.tif 000008
【図７】
2016002388.tif 000009
【図８】
2016002388.tif 000010